(57)【要約】【課題】従来は、道路若しくは河川に設置した監視端末を備えるＣＣＴＶシステムと、遠隔地に必要な情報を伝達するための情報表示システムとが、別々に存在し、これら２つのシステムを別々に管理していたために、コスト高となっていた。【解決手段】本発明は、道路若しくは河川に設置した監視カメラの、カメラポールに電光表示板等の表示部を設け、道路情報（渋滞、事故、等）または河川情報（増水、等）を当該表示部に表示し、道路利用者若しくは河川利用者に注意を促すＣＣＴＶシステムである。【選択図】図１
2011048771.tif 000002
【特許請求の範囲】
【請求項１】
監視場所を撮影するカメラを備えた監視端末と該カメラの画像を表示するモニタを備えた管理センタとから成るＣＣＴＶシステムにおいて、
前記監視端末は、道路若しくは河川に設置したカメラと、該カメラを搭載するカメラポールと、該カメラポールに取り付けた表示部と、該表示部に情報を表示するように制御する表示インターフェース部と、伝送路を介して通信するための第１の通信インタフェース部とを少なくとも備え、
前記管理センタは、前記監視端末と前記伝送路を介して通信する第２の通信インターフェース部と、該第２の通信インターフェース部が受信した情報に基づいて監視端末を制御する制御部と、制御部の制御に応じて前記表示部に表示するための表示情報を出力する情報表示サーバとを少なくとも備えたことを特徴とするＣＣＴＶシステム。
【発明の詳細な説明】
【技術分野】
【０００１】
本発明は、ＣＣＴＶ（ Closed Circuit Tele-Vision ）システムに関わり、特に、監視カメラに道路情報や河川情報を電光表示するシステムに関わる。
【背景技術】
【０００２】
従来のシステムでは、ＣＣＴＶシステムと情報表示システムとが別々のシステムとして設けられ、これら２つのシステムは、別々に管理されていた。
【０００３】
また、特許文献１の情報表示柱に記載されるように、情報表示装置にカメラが付属し、視覚的な情報手段として利用され、防災センタにその情報が伝達されるシステムが開示されている。しかし、防災センタの運用の詳細は明示されず、システム的な技術の開示が無い。
【０００４】
また、特許文献２の緊急車両優先通過支援システムに記載されるように、道路上に設置されたＣＣＴＶ等の監視用カメラで撮影した映像を画像処理して、緊急車両の回転標識灯の点滅、移動方向、車種、等を識別し、緊急車両の前方を走行中の車両の車載器に緊急車両がまもなく通過する旨を事前に知らせる技術が開示されている。また、その記載に、当該エリア内に設置された道路情報板に文字メッセージを送出する技術が記載されている。
【先行技術文献】
【特許文献】
【０００５】
【特許文献１】特開平１１−１１７２４１号公報
【特許文献２】特開２００２−２４５５８８号公報
【発明の概要】
【発明が解決しようとする課題】
【０００６】
上述のように、従来は、道路若しくは河川に設置した監視端末を備えるＣＣＴＶシステムと、遠隔地に必要な情報を伝達するための情報表示システムとが、別々に存在し、これら２つのシステムを別々に管理していた。
【０００７】
また、特許文献１には、システム運用の詳細が記載されていない。
【０００８】
また、特許文献２では、道路上に設置されたＣＣＴＶ等の監視用カメラで撮影した映像に基づいて、緊急車両の前方を走行中の車両の車載器に事前に知らせるため、道路情報板に文字メッセージを送出する技術が記載されている。しかし、緊急車両だけに対象が絞られ、例えば、緊急車両の進路上に障害があっても緊急車両にはその情報が伝達されず、監視システム等に利用するためには、十分ではない。
【０００９】
上記の問題に鑑み、本発明は、ＣＣＴＶシステムに、情報表示を行うための電光表示板を追加し、２つのシステムを統合した。これによって、コストを削減するものである。
【課題を解決するための手段】
【００１０】
上記の課題を解決するために、本発明のＣＣＴＶシステムは、道路若しくは河川に設置した監視カメラの、カメラポールに電光表示板等の表示部を設け、道路情報（渋滞、事故、等）または河川情報（増水、等）を当該表示部に表示し、道路利用者若しくは河川利用者に注意を促すものである。
【発明の効果】
【００１１】
本発明によれば、ＣＣＴＶ及び情報表示の２つの機能を満たすため、現場設備のコスト低減を図ることができる。
【００１２】
また、電光表示板等の表示部に、表示部が付属した当該監視カメラ装置の状態を表示することも可能である。
【図面の簡単な説明】
【００１３】
【図１】本発明のＣＣＴＶシステムの一実施例の構成を示すブロック図である。
【発明を実施するための形態】
【００１４】
以下に本発明の一実施形態を説明する。なお、以下に説明する実施形態は説明のためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
【００１５】
本発明の一実施例を図１によって説明する。図１は、本発明のＣＣＴＶシステムの一実施例の構成を示すブロック図である。１０１は監視用のカメラ、１０２はカメラ１０１のパン角やチルト角を変更するための雲台（旋回台）、１０３は地上に固定され、カメラ１０１及び雲台１０２を搭載するカメラポール、１０４はカメラポール１０３の側面に設けた表示部、１０５は機側装置、１５０は管理センタ、１４０は管理センタ１５０と機側装置１０５間を無線若しくは有線で電気的に接続する伝送路である。機側装置１０５において、１１は伝送路１５０と接続されるＬＡＮ−ＳＷ、１２はＩＰエンコーダ、１３はカメラ制御部、１４は表示インタフェース（表示Ｉ／Ｆ）部である。また管理センタ１５０において、５１は伝送路１５０と接続されるＬＡＮ−ＳＷ、５２はＩＰデコーダ、５３はモニタ、５４は操作用ＰＣ（ Personal Computer ）、５５は統合管理サーバ、５６は情報表示サーバである。ＬＡＮ−ＳＷ１１、若しくは５１は、例えば、スイッチングハブであり、伝送路１４０は、ＬＡＮ（ Local Area Network ）等のネットワーク回線である。また表示部１０４は、例えば、電光表示板である。
【００１６】
なお、電源及び電源の配線は、記載していない。
【００１７】
図１において、監視端末は、監視用のカメラ１０１、雲台１０２、当該監視用のカメラ１０１を搭載するカメラポール１０３、カメラポール１０３の側面に取り付けられた電光表示板等の表示部１０４、及びそれらを制御し管理センタ１５０と伝送路１４０を介して通信する機側装置１０５から少なくとも構成される。
【００１８】
ＣＣＴＶシステムにおいて、通常、複数台の監視端末が設置される。例えば、道路状況を監視するＣＣＴＶシステムでは、複数の監視端末が、沿道に複数設置され、遠隔の管理センタ１５０と無線若しくは有線の伝送回線で接続されている。また、例えば、河川状況を監視するＣＣＴＶシステムでは、河川及び河川の周辺を監視可能なように、複数の監視端末が設置され、遠隔の管理センタ１５０と無線若しくは有線の伝送回線で接続されている。
【００１９】
図１において、カメラ１０１は、視野内を撮影し、撮影した画像を機側装置１０５のＩＰエンコーダ１２に出力する。ＩＰエンコーダ１２は、入力された画像を圧縮符号化してＬＡＮ−ＳＷ１１に出力する。ＬＡＮ−ＳＷ１１は、入力された画像を伝送可能な形式に変換して伝送路１４０を介して管理センタ１５０に出力する。
【００２０】
管理センタ１５０では、機側装置１０５から伝送路１４０を介して伝送された画像をＬＡＮ−ＳＷ５１が受信し、伝送路１４０が伝送可能な形式から、管理センタ１５０内の他の機器が処理可能な形式に変換して、変換した画像を、ＩＰデコーダ５２に出力する。ＩＰデコーダ５２は、入力された画像の復号及び伸長処理を行い、ＬＡＮ−ＳＷ５１を介して統合管理サーバ５５等に出力すると共に、モニタ５３が表示可能なデータに変換してモニタ５３に出力し、モニタ５３に画像を表示させる。
【００２１】
管理センタ１５０内では、オペレータがモニタ５３が表示する画面を確認し、また、必要な場合には、操作用ＰＣ５４を操作して、管理センタ１５０内の他の機器を操作する。また、オペレータは、操作用ＰＣ５４を操作することによって、ＬＡＮ−ＳＷ５１、及び伝送路１４０を介して、機側装置１０５、カメラ１０１、雲台１０２、及び表示部１０４を制御する。
【００２２】
統合管理サーバ（制御部）５５は、操作用ＰＣ５４からの指示が無い場合には、内蔵された所定のソフトウエアに従って、ＣＣＴＶシステム及び情報表示を管理する。
【００２３】
例えば、統合管理サーバ５５若しくは操作用ＰＣ５４からの指示は、制御信号として、ＬＡＮ−ＳＷ５１から伝送路１４０を介して機側装置１０５に伝送される。
【００２４】
また例えば、統合管理サーバ５５若しくは操作用ＰＣ５４は、情報表示サーバ５６に指示して、対応する表示情報を読み出して、ＬＡＮ−ＳＷ５１から伝送路１４０を介して機側装置１０５に伝送する。
【００２５】
機側装置１０５では、管理センタ１５０からの制御信号を、伝送路１４０を介してＬＡＮ−ＳＷ１１が受信する。ＬＡＮ−ＳＷ１１は、制御信号が機側装置１０５内のどの機器に出力すべきかを判定し、例えば、カメラ１０１及び雲台１０２を制御するための制御信号であれば、カメラ制御部１３に出力する。また、表示部１０４に表示するための制御信号（表示情報）であれば、表示Ｉ／Ｆ部１４に出力する。
【００２６】
なお、機側装置１０５は、例えば、カメラポール１０３の近傍に設けられる。好ましくは、機側装置１０５は、カメラポール１０３の下部若しくは側面部に設けられる。
【００２７】
カメラ制御部１３は入力された制御信号に基づいて、カメラ１０１や雲台１０２を制御するコマンドを、雲台１０２の図示しない制御回路に出力する。図示しない制御回路は、入力されたコマンドに基づいて、例えば、カメラ１０１のズーム倍率の変更、雲台１０２のパン角若しくはチルト角の変更、等の制御を行う。
【００２８】
表示Ｉ／Ｆ部１４は、入力された制御信号（表示情報）に基づいて、表示部１０４の表示を制御する。
【００２９】
そして、管理センタ内で監視しているオペレータは、モニタ表示された画像を見て、例えば、監視ポイントの変更、他部署への通報等、必要と考えられる措置を行う。
【００３０】
本発明における図１の実施例では、管理センタ１５０は、他部署への通報の他に、複数の監視端末から送信された画像をモニタ５３の表示画面で確認し、危険ポイントを割り出し、例えば、当該監視端末、及び、周辺の監視端末に、異常若しくは危険である旨の表示情報を送信し、当該監視端末の表示部に当該表示情報を表示させる。
【００３１】
以上のように、本発明の一実施形態のＣＣＴＶシステムは、監視場所を撮影するカメラを備えた監視端末と該カメラの画像を表示するモニタを備えた管理センタとから成るＣＣＴＶシステムにおいて、前記監視端末は、道路若しくは河川に設置したカメラと、該カメラを搭載するカメラポールと、該カメラポールに取り付けた表示部と、該表示部に情報を表示するように制御する表示インターフェース部と、伝送路を介して通信するための第１の通信インタフェース部とを少なくとも備え、前記管理センタは、前記監視端末と前記伝送路を介して通信する第２の通信インターフェース部と、該第２の通信インターフェース部が受信した情報に基づいて監視端末を制御する制御部と、制御部の制御に応じて前記表示部に表示するための表示情報を出力する情報表示サーバとを少なくとも備えたことを特徴とする。
【００３２】
好ましくは、各監視端末は、スピーカ等の音声出力手段を備え、管理センタの操作用ＰＣ５４若しくは統合管理サーバ５５は、表示部への表示と共に、音声等で警報を出力する。
【００３３】
また、好ましくは、統合管理サーバ５５は、ソフトウエアの処理に従って、若しくは、操作用ＰＣ５４の操作に従って、情報表示サーバ５６から、電光表示板等の表示部１０４に表示する文字情報等のデータを取得する。次に取得したデータについて、表示させる監視端末を指定する（例えば、監視端末のＩＤ若しくは表示部のＩＤを指定する）処理を行い、ＬＡＮ−ＳＷ５１、伝送路１４０を経由し、指定した監視端末の電光表示Ｉ／Ｆ部１４に送信する。さらに好ましくは、送信する文字情報のデータに、補足説明を加えて送信する。補足説明は、例えば、監視端末によって、危険度の種類や、避難経路、避難方向の指示、等である。
【００３４】
図１の実施例では、電光表示板等の表示部は、カメラポールの側面に取り付けられていた。しかし、利用者が見易い場所であれば、どこでも良いことは勿論であり、監視端末ごとに取り付け場所が異なっても良い。また、カメラポールではなく、機側装置に取り付けても良い。
【００３５】
図１の実施例によれば、ＣＣＴＶ及び情報表示の２つの機能を満たすため、現場設備のコスト低減を図ることができる。
【００３６】
また、図１の実施例において、統合管理サーバ５５の制御若しくはオペレータの判断による操作用ＰＣ５４の制御によって、表示部１０４に、当該監視端末の状態（例えば、カメラ１０１が撮像したライブ映像若しくは過去の画像、カメラ１０１が稼働しているか否かの情報、等）を表示するようにしても良い。
【００３７】
また、当該監視端末と異なる場所に設置された監視端末のライブ映像若しくは過去の画像を表示するようにしても良い。
【００３８】
このように、当該カメラの画像、危険ポイントに設置されたカメラの画像、若しくは、重要なポイントの画像等の情報を表示部１０４に表示させることによって、監視端末の近くにいる住民若しくは監視員等の利用者が、道路情報若しくは河川情報を的確に確認することができるため、迅速かつ適切な行動をとることができる。
【符号の説明】
【００３９】
１１：ＬＡＮ−ＳＷ、  １２：ＩＰエンコーダ、  １３：カメラ制御部、  １４：表示Ｉ／Ｆ部、  ５１：ＬＡＮ−ＳＷ、  ５２：ＩＰデコーダ、  ５３：モニタ、  ５４：操作用ＰＣ、  ５５：統合管理サーバ、  ５６は情報表示サーバ、  １０１：カメラ、  １０２：雲台、  １０３：カメラポール、  １０４：表示部、  １０５：機側装置、  １４０：伝送路、  １５０：管理センタ。
【図１】
2011048771.tif 000003